(57)【要約】【課題】電磁波を用いて識別情報を認識可能としながらも、電磁波による認識に失敗した場合であっても、識別情報を正確に認識する。【解決手段】ベース基材１０の一方の面に積層されたグランドパターン３０ａ〜３０ｊと、ベース基材１０の他方の面にグランドパターン３０ａ〜３０ｊに対向して積層され、グランドパターン３０ａ〜３０ｊと対向することで共振ピークが発現するアンテナ２０ａ〜２０ｊとを有し、アンテナ２０ａ〜２０ｊは、数字を表す形状を有し、グランドパターン３０ａ〜３０ｊは、平面視にてアンテナ２０ａ〜２０ｊを覆う形状を有する。【選択図】図１
2018023021.tif 000002
【特許請求の範囲】
【請求項１】
グランドパターンと、
数字、文字または記号を表す形状を具備し、前記グランドパターンに絶縁層を介して対向配置され、前記グランドパターンと対向することで当該形状に応じた周波数にて共振ピークが発現するアンテナとを有し、
前記グランドパターンは、平面視にて前記アンテナを覆う形状を有する、識別体。
【請求項２】
請求項１に記載の識別体において、
前記アンテナは、前記グランドパターンに対向しない状態におけるＱ値が３０以下である、識別体。
【発明の詳細な説明】
【技術分野】
【０００１】
本発明は、アンテナを用いて識別情報を認識可能とする識別体に関する。
【背景技術】
【０００２】
従来、郵便物の郵便番号や住所、氏名等の識別情報を画像認識で読み取るＯＣＲ（Optical Character Reader）技術が用いられており、例えば特許文献１に開示されている。このような画像読み取り技術を用いることにより、識別情報の読み取り処理の高速化や効率化を図ることができる。ところが、このような画像読み取り技術においては、郵便物が裏返っている場合等、識別情報が表示された面が読み取り面とは反対側となってしまった場合、識別情報を読み取ることができない。また、識別情報が紙等の遮蔽物で隠れてしまった場合においても、識別情報を読み取ることができない。さらに、識別情報の印刷品質によっては、“０”と“６”や、“１”と“７”等の見分け難い文字について読取率の低下や誤読が発生する虞れがある。
【０００３】
また、配送物においては、配送物を識別可能とするＩＤを配送伝票にバーコードによって表示しておき、これを赤外線を用いて読み取ることによって配送物の配送状況や履歴を管理している。ところが、このようにバーコードを用いてＩＤを読み取る方法においても、バーコードを上記同様に光学的に読み取ることになるため、赤外線が照射されない面にバーコードが表示されている場合、ＩＤを読み取ることができない。そこで、配送伝票においては、ＩＤをバーコードのみならず数字で表示しておき、バーコードの読み取りに失敗した場合のためにＩＤを目視可能な構成としている。
【０００４】
ところで、近年においては、電磁波を用いて非接触状態でＩＤを読み取るＲＦＩＤ技術が普及しており、物流分野にも導入され始めている。ＲＦＩＤ技術においては、電磁波によってＩＤを読み取り可能に記憶したＩＣチップを用い、このＩＣチップからＩＤが非接触で読み取られることになる。そのため、このようなＩＣチップを用いたＲＦＩＤ技術を郵便物や配送伝票に適用することで、上述したように読み取り面の向きや遮蔽物によってＩＤを読み取ることができなってしまうことを回避することができる。
【０００５】
このようなＲＦＩＤ技術を利用した識別体としては、上述したようにＩＣチップを用いたものに限らず、共振ピークの周波数が互いに異なる複数のアンテナを有し、ＩＣチップを用いずに複数のアンテナの組み合わせでＩＤを認識可能とするものも考えられている。例えば、複数のアンテナを構成する誘電子要素とコンデンサ要素の形状を異ならせたり、複数のアンテナの形状や向きを異ならせたりして共振ピークの周波数を複数のアンテナ毎に異ならせ、そのアンテナの組み合わせでＩＤを表現可能とする技術が、特許文献２に開示されている。この技術を用いれば、アンテナの数をＮ個とした場合、１つのアンテナの有無によって“１”，“０”の２つの情報を持たせることができ、また、全てのアンテナが無い場合を除いて、（２N−１）個のＩＤを認識可能に表現することができる。さらには、ＩＣチップを用いない構成とすることにより、高価なＩＣチップによるコストアップを回避することができる。
【先行技術文献】
【特許文献】
【０００６】
【特許文献１】特開平１０−７６７３２号公報
【特許文献２】特公平７−８０３８６号公報
【発明の概要】
【発明が解決しようとする課題】
【０００７】
しかしながら、上述したようにアンテナのみを用いて識別情報を認識可能とするものにおいては、アンテナを構成する誘電子要素とコンデンサ要素の形状を識別情報に応じて異ならせたり、複数のアンテナの形状や向きを異ならせたりして共振ピークの周波数を複数のアンテナ毎に異ならせることで、識別情報となるＩＤを認識可能としているため、識別情報を視覚によって認識することができない。そのため、例えば、“１９２００４５”というＩＤを、“１”，“９”，“２”，“０”，“０”，“４”，“５”に応じた形状の複数のアンテナを並べて表現した場合、アンテナの並べ順にＩＤを認識できずに“１９２５４００”と認識してしまったり、重複数字を読み落として“１９２０４５”と認識してしまったりする場合が生じ、その誤りを認識することができないという問題点がある。
【０００８】
本発明は、上述したような従来の技術が有する問題点に鑑みてなされたものであって、電磁波を用いて識別情報を認識可能としながらも、電磁波による認識に失敗した場合であっても、識別情報を正確に認識することができる識別体を提供することを目的とする。
【課題を解決するための手段】
【０００９】
上記目的を達成するために本発明は、
グランドパターンと、
数字、文字または記号を表す形状を具備し、前記グランドパターンに絶縁層を介して対向配置され、前記グランドパターンと対向することで当該形状に応じた周波数にて共振ピークが発現するアンテナとを有し、
前記グランドパターンは、平面視にて前記アンテナを覆う形状を有する。
【００１０】
上記のように構成された本発明においては、アンテナが絶縁層を介してグランドパターンと対向配置されることで、アンテナの形状に応じた周波数にて共振ピークが発現することとなり、この共振ピークを検出することによって識別情報が認識されるが、アンテナが、数字、文字または記号を表す形状であることにより、共振ピークの検出に失敗した場合でも、識別情報を視覚で認識することができ、識別情報を正確に認識することができる。
【００１１】
上記のようなアンテナとしては、グランドパターンに対向しない状態におけるＱ値が３０以下であれば、グランドパターンに対向することで、形状に応じた周波数にてＱ値が３０以上となる鋭い共振ピークを発現させることができる。
【発明の効果】
【００１２】
本発明によれば、グランドパターンと対向することで共振ピークが発現するアンテナが、数字、文字または記号を表す形状であるため、電磁波を用いて識別情報を認識可能としながらも、電磁波による認識に失敗した場合であっても、識別情報を正確に認識することができる。
【図面の簡単な説明】
【００１３】
【図１】本発明の識別体の実施の一形態を示す図であり、（ａ）は表面の構成を示す図、（ｂ）は（ａ）に示したＡ−Ａ’断面図、（ｃ）は裏面の構成を示す図である。
【図２】本発明の識別体を適用した配送伝票の一例を示す図であり、（ａ）は全体の構成を示す図、（ｂ）は（ａ）に示した問い合わせ番号表示欄の詳細な構成を示す図、（ｃ）は（ａ）に示した問い合わせ番号表示欄の裏面の構成を示す図である。
【図３】図２に示した配送伝票の問い合わせ番号表示欄に表示された問い合わせ番号を認識する認識システムの一例を示す図である。
【図４】図３に示したＩＤ認識システムにおいて、図２に示した配送伝票の問い合わせ番号表示欄に表示された問い合わせ番号を認識する方法を説明するための図であり、（ａ）は問い合わせ番号が認識される際の配送伝票の状態を示す図、（ｂ）〜（ｅ）は電磁波の放射及び反射波の検知の状態を示す図である。
【発明を実施するための形態】
【００１４】
以下に、本発明の実施の形態について図面を参照して説明する。
【００１５】
図１は、本発明の識別体の実施の一形態を示す図であり、（ａ）は表面の構成を示す図、（ｂ）は（ａ）に示したＡ−Ａ’断面図、（ｃ）は裏面の構成を示す図である。
【００１６】
本形態における識別体は図１に示すように、ベース基材１０の表面に番号表示エリア２１ａ〜２１ｊが設けられ、この番号表示エリア２１ａ〜２１ｊのそれぞれに導電性のアンテナ２０ａ〜２０ｊが積層され、また、ベース基材１０の裏面にアンテナ２０ａ〜２０ｊのそれぞれと対向してグランドパターン３０ａ〜３０ｊが積層され、それにより、アンテナ２０ａ〜２０ｊとグランドパターン３０ａ〜３０ｊとがそれぞれ、ベース基材１０を介して対向配置されて構成されたＩＤタグ１である。
【００１７】
アンテナ２０ａ〜２０ｊはそれぞれ、番号表示エリア２１ａ〜２１ｊに付与された識別情報となる数字の形状を有し、グランドパターン３０ａ〜３０ｊと対向することで、アンテナ２０ａ〜２０ｊの形状に応じた周波数にて共振ピークを発現する。具体的には、番号表示エリア２１ａに積層されたアンテナ２０ａは“１”の形状を有し、番号表示エリア２１ｂに積層されたアンテナ２０ｂは“２”の形状を有し、番号表示エリア２１ｃに積層されたアンテナ２０ｃは“３”の形状を有し、番号表示エリア２１ｄに積層されたアンテナ２０ｄは“４”の形状を有し、番号表示エリア２１ｅに積層されたアンテナ２０ｅは“５”の形状を有し、番号表示エリア２１ｆに積層されたアンテナ２０ｆは“６”の形状を有し、番号表示エリア２１ｇに積層されたアンテナ２０ｇは“７”の形状を有し、番号表示エリア２１ｈに積層されたアンテナ２０ｈは“８”の形状を有し、番号表示エリア２１ｉに積層されたアンテナ２０ｉは“９”の形状を有し、番号表示エリア２１ｊに積層されたアンテナ２０ｊは“０”の形状を有し、これらは、グランドパターン３０ａ〜３０ｊと対向することで互いに異なる周波数にて共振ピークを発現する。なお、グランドパターン３０ａ〜３０ｊに対向した場合に共振ピークが発現するためには、アンテナ２０ａ〜２０ｊ単体、すなわち、アンテナ２０がグランドパターン３０に対向していない状態におけるＱ値が３０以下、好ましくは２０以下であるか、あるいは、アンテナ単体では共振ピークが発現しないものである必要がある。これは、アンテナ単体のＱ値が３０を超えるものにおいては、グランドパターンと対向した場合、共振ピークが発現しなくなる一方、アンテナ単体のＱ値が３０以下のものにおいては、グランドパターンと対向した場合、Ｑ値が３０以上となる鋭い共振ピークが発現するためである。なお、Ｑ値とは、共振ピークでの周波数をω0とし、その共振ピークよりも低周波側にて振動エネルギーが共振ピークの半値となる周波数をω1とし、共振ピークよりも高周波側にて振動エネルギーが共振ピークの半値となる周波数をω2とした場合、Ｑ＝ω0／（ω2−ω1）で表される値である。
【００１８】
グランドパターン３０ａ〜３０ｊは、対向するアンテナ２０ａ〜２０ｊよりも大きく、平面視にてアンテナ２０ａ〜２０ｊを覆う形状を有している。
【００１９】
ベース基材１０は、本願発明における絶縁層となるものであって、２００〜３００μｍ程度の厚みを有する絶縁性材料からなる。絶縁性材料としては、樹脂フィルム等が考えられるが、誘電正接が小さなものが好ましい。なお、絶縁層として、ベース基材１０を用いずに、絶縁性樹脂膜を塗布することで構成したものであってもよい。
【００２０】
上記のように構成されたＩＤタグ１においては、アンテナ２０ａ〜２０ｊが、グランドパターン３０ａ〜３０ｊと対向することでアンテナ２０ａ〜２０ｊの形状に応じた周波数にて共振ピークを発現するため、電磁波を照射し、その反射波において、アンテナ２０ａ〜２０ｊの形状に応じた周波数の近傍にて共振ピークが検出されるかどうかによって、ＩＤタグ１に付与されたＩＤを認識することができる。具体的には、アンテナ２０ａ〜２０ｊの形状に合わせて個別ＩＤ“１”，“２”，“３”，“４”，“５”，“６”，“７”，“８”，“９”，“０”を設定しておき、アンテナ２０ａの形状に応じた周波数の近傍にて共振ピークが検出された場合に個別ＩＤ“１”を認識し、アンテナ２０ｂの形状に応じた周波数の近傍にて共振ピークが検出された場合に個別ＩＤ“２”を認識し、アンテナ２０ｃの形状に応じた周波数の近傍にて共振ピークが検出された場合に個別ＩＤ“３”を認識し、アンテナ２０ｄの形状に応じた周波数の近傍にて共振ピークが検出された場合に個別ＩＤ“４”を認識し、アンテナ２０ｅの形状に応じた周波数の近傍にて共振ピークが検出された場合に個別ＩＤ“５”を認識し、アンテナ２０ｆの形状に応じた周波数の近傍にて共振ピークが検出された場合に個別ＩＤ“６”を認識し、アンテナ２０ｇの形状に応じた周波数の近傍にて共振ピークが検出された場合に個別ＩＤ“７”を認識し、アンテナ２０ｈの形状に応じた周波数の近傍にて共振ピークが検出された場合に個別ＩＤ“８”を認識し、アンテナ２０ｉの形状に応じた周波数の近傍にて共振ピークが検出された場合に個別ＩＤ“９”を認識し、アンテナ２０ｊの形状に応じた周波数の近傍にて共振ピークが検出された場合に個別ＩＤ“０”を認識し、これらを所定順に並べることで、ＩＤタグ１に付与されたＩＤを認識することができる。
【００２１】
以下に、上述したＩＤタグ１を適用した具体例及びそれを用いたＩＤ認識システムについて説明する。
【００２２】
図２は、本発明の識別体を適用した配送伝票の一例を示す図であり、（ａ）は全体の構成を示す図、（ｂ）は（ａ）に示した問い合わせ番号表示欄４３の詳細な構成を示す図、（ｃ）は（ａ）に示した問い合わせ番号表示欄４３の裏面の構成を示す図である。
【００２３】
本例における配送伝票４０は図２（ａ）に示すように、この配送伝票４０が貼付されて配送される配送物の配送先の住所や氏名等が表示される配送先情報表示欄４１と、配送物の配送元の住所や氏名等が表示される配送元情報表示欄４２と、配送物の配送状況を管理するための問い合わせ番号が表示された問い合わせ番号表示欄４３とが設けられている。
【００２４】
問い合わせ番号表示欄４３は図２（ｂ）に示すように、図１に示したＩＤタグ１と同様に、番号表示エリア１２１ａ〜１２１ｌが設けられており、番号表示エリア１２１ａ〜１２１ｌのそれぞれには、アンテナ１２０ａ〜１２０ｌが積層されている。具体的には、問い合わせ番号表示欄４３に表示される問い合わせ番号が“２３１３−４９４５−７８０６”であることにより、番号表示エリア１２１ａには、数字“２”の形状を有するアンテナ１２０ａが積層され、番号表示エリア１２１ｂには、数字“３”の形状を有するアンテナ１２０ｂが積層され、番号表示エリア１２１ｃには、数字“１”の形状を有するアンテナ１２０ｃが積層され、番号表示エリア１２１ｄには、数字“３”の形状を有するアンテナ１２０ｄが積層され、番号表示エリア１２１ｅには、数字“４”の形状を有するアンテナ１２０ｅが積層され、番号表示エリア１２１ｆには、数字“９”の形状を有するアンテナ１２０ｆが積層され、番号表示エリア１２１ｇには、数字“４”の形状を有するアンテナ１２０ｇが積層され、番号表示エリア１２１ｈには、数字“５”の形状を有するアンテナ１２０ｈが積層され、番号表示エリア１２１ｉには、数字“７”の形状を有するアンテナ１２０ｉが積層され、番号表示エリア１２１ｊには、数字“８”の形状を有するアンテナ１２０ｊが積層され、番号表示エリア１２１ｋには、数字“０”の形状を有するアンテナ１２０ｋが積層され、番号表示エリア１２１ｌには、数字“６”の形状を有するアンテナ１２０ａが積層されており、アンテナ１２０ａ〜１２０ｌが、番号表示エリア１２１ａ〜１２１ｌに付与された数字の形状を有することで、問い合わせ番号表示欄４３に表示される問い合わせ番号“２３１３−４９４５−７８０６”が視認可能となっている。
【００２５】
また、問い合わせ番号表示欄４３の裏面には、図２（ｃ）に示すように、アンテナ１２０ａ〜１２０ｌのそれぞれと対向してグランドパターン１３０ａ〜１３０ｌが積層されている。グランドパターン１３０ａ〜１３０ｌのそれぞれは、図１に示したＩＤタグ１と同様に、対向するアンテナ１２０ａ〜１２０ｌよりも大きく、平面視にてアンテナ１２０ａ〜１２０ｌを覆う形状を有している。
【００２６】
そして、アンテナ１２０ａ〜１２０ｌはそれぞれ、グランドパターン１３０ａ〜１３０ｌに対向することで、アンテナ１２０ａ〜１２０ｌの形状に応じた周波数の近傍にて共振ピークが発現するものとなっており、“１”，“２”，“３”，“４”，“５”，“６”，“７”，“８”，“９”，“０”の形状毎に、異なる周波数の近傍にて共振ピークが発現する。そのため、アンテナ１２０ａ〜１２０ｌの共振ピークを検出することにより、番号表示エリア１２１ａ〜１２１ｌに付与された数字を認識することができ、さらに、その並び順を認識することで、問い合わせ番号表示欄４３に表示された問い合わせ番号を識別することができる。
【００２７】
図３は、図２に示した配送伝票４０の問い合わせ番号表示欄４３に表示された問い合わせ番号を認識するＩＤ認識システムの一例を示す図である。
【００２８】
本例におけるＩＤ認識システムは図３に示すように、図２に示した配送伝票４０と、配送伝票４０の問い合わせ番号表示欄４３に表示された問い合わせ番号を認識する読取装置５０とから構成され、読取装置５０は、アンテナ５１ａ，５１ｂと、電磁波放射部５２と、反射波受信部５３と、処理部５４と、制御部５８と、ＩＤデータベース５９とを有する。
【００２９】
電磁波放射部５２は、番号表示エリア１２１ａ〜１２１ｌのそれぞれに対して、グランドパターン１３０ａ〜１３０ｌに対向することで、“１”，“２”，“３”，“４”，“５”，“６”，“７”，“８”，“９”，“０”の形状に応じて発現するアンテナの共振ピークの全ての周波数を含む周波数帯の電磁波を、アンテナ５１ａを介して送信する。
【００３０】
反射波受信部５３は、電磁波放射部５２からアンテナ５１ａを介して送信された電磁波に対する配送伝票４０からの反射波を、アンテナ５１ｂを介して受信する。
【００３１】
処理部５４は、反射強度検知部５５と、個別ＩＤ認識部５６と、ＩＤ認識部５７とを有する。
【００３２】
反射強度検知部５５は、反射波受信部５３にて受信された反射波における反射強度を検知する。
【００３３】
個別ＩＤ認識部５６は、反射強度検知部５３にて検知された反射強度によって番号表示エリア１２１ａ〜１２１ｌ毎の共振ピークを検出し、ＩＤデータベース５９を参照し、検出した共振ピークの周波数に対応する数字を、番号表示エリア１２１ａ〜１２１ｌ毎の個別ＩＤとして認識する。
【００３４】
ＩＤデータベース５９には、アンテナ１２０ａ〜１２０ｌの形状による数字と、アンテナ１２０ａ〜１２０ｌがグランドパターン１３０ａ〜１３０ｌに対向することで発現する共振ピークの周波数とが対応づけて登録されている。
【００３５】
ＩＤ認識部５７は、個別ＩＤ認識部５６にて認識された数字を、その数字に対応する周波数の共振ピークが検出された順番に並べることで、問い合わせ番号表示欄４３に表示された問い合わせ番号を認識する。
【００３６】
制御部５８は、電磁波放射部５２における電磁波の放射、及び処理部５４における各処理を制御する。
【００３７】
以下に、上記のように構成されたＩＤ認識システムにおいて、図２に示した配送伝票４０の問い合わせ番号表示欄４３に表示された問い合わせ番号を認識する方法について説明する。
【００３８】
図４は、図３に示したＩＤ認識システムにおいて、図２に示した配送伝票４０の問い合わせ番号表示欄４３に表示された問い合わせ番号を認識する方法を説明するための図であり、（ａ）は問い合わせ番号が認識される際の配送伝票４０の状態を示す図、（ｂ）〜（ｅ）はアンテナ５１ａを介した電磁波の放射及び配送伝票４０からの反射波のアンテナ５１ｂを介した検知の状態を示す図である。
【００３９】
電磁波放射部５２から放射された電磁波は、図４（ａ）に示すように配送伝票４０が貼付された配送物２が搬送されるコンベアー３上にアンテナ５１ａを介して放射される。電磁波放射部４２からは、上述したように、グランドパターン１３０ａ〜１３０ｌに対向することで、“１”，“２”，“３”，“４”，“５”，“６”，“７”，“８”，“９”，“０”の形状に応じて発現するアンテナの共振ピークの全ての周波数を含む周波数帯の電磁波がアンテナ５１ａを介して送信されるが、グランドパターン１３０ａ〜１３０ｌと対向したアンテナ１２０ａ〜１２０ｌが、電磁波が放射された領域に存在しない場合は反射波が検知されず、また、グランドパターン１３０ａ〜１３０ｌと対向したアンテナ１２０ａ〜１２０ｌが、電磁波が放射された領域に存在する場合は、そのアンテナ１２０ａ〜１２０ｌからの反射波が検知され、その反射波において、アンテナ１２０ａ〜１２０ｌの形状に応じた周波数にて共振ピークが検出されることになる。なお、アンテナ５１ａ，５１ｂは、図４（ａ）に示すようにコンベアー３の上方に設けられているものに限らない。例えば、コンベアー３の下方に設けられており、コンベアー３上を搬送されてくる配送物２に対してコンベアー３を介して電磁波を放射したり、コンベアー３の側方に設けられていてもよい。
【００４０】
そして、図４（ａ）に示すように、配送伝票４０が貼付された配送物２は、コンベアー３上を搬送されてきて、問い合わせ番号表示欄４３がアンテナ５１ａ，５１ｂに対向するようになる。この際、問い合わせ番号表示欄４３には、上述したように、番号表示エリア１２１ａ〜１２１ｌが設けられており、コンベアー３上を配送物２が搬送されていくことにより、アンテナ５１ａ，５１ｂが、番号表示エリア１２１ａ側から番号表示エリア１２１ａ〜１２１ｌに順次対向していくことになる。
【００４１】
アンテナ５１ａ，５１ｂがまず番号表示エリア１２１ａに対向すると、図４（ｂ）に示すように、電磁波放射部５２から放射された電磁波がアンテナ５１ａを介して番号表示エリア１２１ａにおけるアンテナ１２０ａに放射される。電磁波放射部５２から放射された電磁波がアンテナ５１ａを介してアンテナ１２０ａに放射されると、アンテナ１２０ａからの反射波がアンテナ５１ｂを介して反射波受信部５３にて受信され、反射強度検知部５５において、反射波受信部５３にて受信されたアンテナ１２０ａからの反射波の反射強度が検知される。
【００４２】
すると、個別ＩＤ認識部５６において、まず、反射強度検知部５５にて検知されたアンテナ１２０ａからの反射波の反射強度によって、アンテナ１２０ａからの反射波における共振ピークが検出される。電磁波放射部４２からは、上述したように、グランドパターン１３０ａ〜１３０ｌに対向することで、“１”，“２”，“３”，“４”，“５”，“６”，“７”，“８”，“９”，“０”の形状に応じて発現するアンテナの共振ピークの全ての周波数を含む周波数帯の電磁波がアンテナ５１ａを介して送信されているため、反射波受信部５３にて受信される反射波には、数字“２”の形状を有するアンテナ１２０ａからの反射波における共振ピークが含まれており、この共振ピークが“２”に対応する周波数にて検出されることになる。
【００４３】
そして、個別ＩＤ認識部５６において、ＩＤデータベース５９が参照され、検出した共振ピークの周波数に対応する数字が、番号表示エリア１２１ａの個別ＩＤとして認識される。上述したように、ＩＤデータベース５９には、アンテナ１２０ａ〜１２０ｌの形状による数字と、アンテナ１２０ａ〜１２０ｌがグランドパターン１３０ａ〜１３０ｌに対向することで発現する共振ピークの周波数とが対応づけて登録されているため、アンテナ１２０ａからの反射波における共振ピークに対応して登録された数字“２”が番号表示エリア１２１ａの個別ＩＤとして認識されることになる。
【００４４】
配送物２がコンベアー３上を搬送されていき、次に、アンテナ５１ａ，５１ｂが番号表示エリア１２１ｂに対向すると、図４（ｃ）に示すように、電磁波放射部５２から放射された電磁波がアンテナ５１ａを介して番号表示エリア１２１ｂにおけるアンテナ１２０ｂに放射される。電磁波放射部５２から放射された電磁波がアンテナ５１ａを介してアンテナ１２０ｂに放射されると、アンテナ１２０ｂからの反射波がアンテナ５１ｂを介して反射波受信部５３にて受信され、反射強度検知部５５において、反射波受信部５３にて受信されたアンテナ１２０ｂからの反射波の反射強度が検知される。
【００４５】
そして、上記同様にして、個別ＩＤ認識部５６において、反射強度検知部５５にて検知されたアンテナ１２０ｂからの反射波の反射強度によってアンテナ１２０ｂからの反射波における共振ピークが検出され、ＩＤデータベース５９が参照され、検出した共振ピークの周波数に対応する数字“３”が、番号表示エリア１２１ｂの個別ＩＤとして認識されることになる。
【００４６】
配送物２がコンベアー３上を搬送されていき、次に、アンテナ５１ａ，５１ｂが番号表示エリア１２１ｃに対向すると、図４（ｄ）に示すように、電磁波放射部５２から放射された電磁波がアンテナ５１ａを介して番号表示エリア１２１ｃにおけるアンテナ１２０ｃに放射される。電磁波放射部５２から放射された電磁波がアンテナ５１ａを介してアンテナ１２０ｃに放射されると、アンテナ１２０ｃからの反射波がアンテナ５１ｂを介して反射波受信部５３にて受信され、反射強度検知部５５において、反射波受信部５３にて受信されたアンテナ１２０ｃからの反射波の反射強度が検知される。
【００４７】
そして、上記同様にして、個別ＩＤ認識部５６において、反射強度検知部５５にて検知されたアンテナ１２０ｃからの反射波の反射強度によってアンテナ１２０ｃからの反射波における共振ピークが検出され、ＩＤデータベース５９が参照され、検出した共振ピークの周波数に対応する数字“１”が、番号表示エリア１２１ｃの個別ＩＤとして認識されることになる。
【００４８】
配送物２がコンベアー３上を搬送されていき、次に、アンテナ５１ａ，５１ｂが番号表示エリア１２１ｄに対向すると、図４（ｅ）に示すように、電磁波放射部５２から放射された電磁波がアンテナ５１ａを介して番号表示エリア１２１ｄにおけるアンテナ１２０ｄに放射される。電磁波放射部５２から放射された電磁波がアンテナ５１ａを介してアンテナ１２０ｄに放射されると、アンテナ１２０ｄからの反射波がアンテナ５１ｂを介して反射波受信部５３にて受信され、反射強度検知部５５において、反射波受信部５３にて受信されたアンテナ１２０ｄからの反射波の反射強度が検知される。
【００４９】
そして、上記同様にして、個別ＩＤ認識部５６において、反射強度検知部５５にて検知されたアンテナ１２０ｄからの反射波の反射強度によってアンテナ１２０ｄからの反射波における共振ピークが検出され、ＩＤデータベース５９が参照され、検出した共振ピークの周波数に対応する数字“３”が、番号表示エリア１２１ｄの個別ＩＤとして認識されることになる。
【００５０】
その後、同様にして、番号表示エリア１２１ｅ〜１２１ｌのそれぞれについて、アンテナ１２０ｅ〜１２０ｌからの反射波における共振ピークが順次検出され、それにより、番号表示エリア１２１ｅ〜１２１ｌにアンテナ１２０ｅ〜１２０ｌによって表示された数字が個別ＩＤ認識部５６にて認識されていく。
【００５１】
番号表示エリア１２１ａ〜１２１ｌに表示された数字がそれぞれ個別ＩＤ認識部５６にて認識されると、ＩＤ認識部５７において、個別ＩＤ認識部５６にて認識された数字が、その数字に対応する共振ピークが検出された順番に並べられる。本例においては、個別ＩＤ認識部５６において、“２”に対応する周波数における共振ピーク、“３”に対応する周波数における共振ピーク、“１”に対応する周波数における共振ピーク、“３”に対応する周波数における共振ピーク、“４”に対応する周波数における共振ピーク、“９”に対応する周波数における共振ピーク、“４”に対応する周波数における共振ピーク、“５”に対応する周波数における共振ピーク、“７”に対応する周波数における共振ピーク、“８”に対応する周波数における共振ピーク、“０”に対応する周波数における共振ピーク、“６”に対応する周波数における共振ピークの順番で検出されたため、ＩＤ認識部５７において、これらの数字が、“２”，”３”，”１”，”３”，”４”，”９”，”４”，”５”，”７”，”８”，”０”，”６”の順番で並べられ、それにより、数字“２”，”３”，”１”，”３”，”４”，”９”，”４”，”５”，”７”，”８”，”０”，”６”がこの順で組み合わされてなる“２３１３４９４５７８０６”が、問い合わせ番号表示欄４３に表示された問い合わせ番号として認識されることになる。
【００５２】
また、この問い合わせ番号は、番号表示エリア１２１ａ〜１２１ｌに積層されたアンテナ１２０ａ〜１２０ｌの形状により、視覚によっても認識可能であるため、上述したように番号表示エリア１２１ａ〜１２１ｌにおけるアンテナ１２０ａ〜１２０ｌからの反射波を用いて問い合わせ番号が認識できなかった場合でも、視覚によって認識することができる。
【００５３】
なお、上述した実施の形態においては、アンテナの形状が数字であるものを例に挙げて説明したが、アンテナの形状は、視覚によって識別できるものであれば、記号や文字等であってもよい。
【００５４】
また、図１に示したＩＤタグ１においては、ベース基材１０の裏面にアンテナ２０ａ〜２０ｊのそれぞれに対向してグランドパターン３０ａ〜３０ｊが積層され、また、図２に示した配送伝票４０においても、アンテナ１２０ａ〜１２０ｌのそれぞれに対向してグランドパターン１３０ａ〜１３０ｌが積層されているが、グランドパターン３０ａ〜３０ｊ，１３０ａ〜１３０ｌが繋がっていたり、アンテナ２０ａ〜２０ｊ，１２０ａ〜１２０ｌの対向する面の全面にグランドパターンが積層されていたりしてもよい。
【００５５】
また、図１に示したＩＤタグ１や図３に示した配送伝票４０においては、グランドパターン３０ａ〜３０ｊ，１３０ａ〜１３０ｌのそれぞれが、対向するアンテナ２０ａ〜２０ｊ，１２０ａ〜１２０ｌよりも大きく、平面視にてアンテナ２０ａ〜２０ｊ，１２０ａ〜１２０ｌを覆う形状を有しているが、平面視にて対向するアンテナ２０ａ〜２０ｊ，１２０ａ〜１２０ｌの極わずかの領域を覆わないものであってもよく、それも併せて、平面視にてアンテナを覆う形状を有すると定義する。
【符号の説明】
【００５６】
１    ＩＤタグ
２    配送物
３    コンベアー
１０    ベース基材
２０ａ〜２０ｊ，５１ａ，５１ｂ，１２０ａ〜１２０ｌ    アンテナ
２１ａ〜２１ｊ，１２１ａ〜１２１ｌ    番号表示エリア
３０ａ〜３０ｊ，１３０ａ〜１３０ｌ    グランドパターン
４０    配送伝票
４１    配送先情報表示欄
４２    配送元情報表示欄
４３    問い合わせ番号表示欄
５０    読取装置
５２    電磁波放射部
５３    反射波受信部
５４    処理部
５５    反射強度検知部
５６    個別ＩＤ認識部
５７    ＩＤ認識部
５８    制御部
５９    ＩＤデータベース
【図１】
2018023021.tif 000003
【図２】
2018023021.tif 000004
【図３】
2018023021.tif 000005
【図４】
2018023021.tif 000006